(57)【要約】【課題】監視領域の警備状態を警備へと移行させる際に、簡易な操作によって安全性を確保しながら移行禁止させることができる警備装置および警備方法を提供する。【解決手段】テンキー２１から入力された暗証番号が照合部１５によって正当と照合されれば、第１のタイマ時間後に警備状態が警備に移行設定される。この時、第１のタイマ時間より短い第２のタイマ時間内に、禁止キー２２から禁止指定が入力されると、制御部１４は、切替部１１に対して警備モードへの移行を禁止するように制御する。【選択図】      図１
2005032006.tif 000002
【特許請求の範囲】
【請求項１】
監視対象の警備領域における異常を検知する検知手段に接続され、前記検知手段によって前記警備領域における異常を検知したときに警報を監視センタに通報する警備装置であって、
前記警備状態を、異常を検知すると前記監視センタに通報する警備モードと、異常を検知しても警報を前記監視センタに通報しない警備解除モードとの間で切り替える切替手段と、
暗証情報を入力させるとともに、前記切替手段による警備状態の切り替え動作の禁止指定を入力させる操作手段と、
前記操作手段に入力された暗証情報が正当であるか否かを判断する照合手段と、
前記照合手段による照合時点からの経過時間を計時する計時手段と、
入力された前記暗証情報が、前記照合手段によって正当であると判断された照合時点からの前記経過時間が、所定の第１のタイマ時間を越える場合、前記切替手段に対して前記警備状態を警備モードに切り替えさせ、
前記第１のタイマ時間より短く前記照合時点から計時された第２のタイマ時間内に、前記操作手段からの前記禁止指定の入力を受け付けた場合、前記切替手段に対して前記警備状態を警備モードに切り替えることを禁止させるよう制御する制御手段と、を備えたことを特徴とする警報装置。
【請求項２】
前記制御手段は、前記第２のタイマ時間終了後前記第１のタイマ時間終了以前に、前記操作手段からさらに入力された暗証情報が前記照合手段によって正当と判断された場合、前記切替手段に対して前記警備状態を警備モードに切り替える動作を禁止させるよう制御することを特徴とする請求項１に記載の警備装置。
【請求項３】
前記操作手段は、テンキーを含むことを特徴とする請求項１または２に記載の警備装置。
【請求項４】
前記操作手段は、単一のキーを含むことを特徴とする請求項１〜３のいずれか１つに記載の警備装置。
【請求項５】
前記制御手段が、前記第１のタイマ時間終了内において、前記操作手段から所定の延長入力を受け付けた場合、前記第１のタイマ時間終了後さらに第３のタイマ時間を延長した後に、前記警備状態を警備モードへ切り替えさせるよう制御することを特徴とする請求項１〜４のいずれか１つに記載の警備装置。
【請求項６】
前記操作手段は、前記延長入力を行うテンキーを含むことを特徴とする請求項５に記載の警備装置。
【請求項７】
監視対象の警備領域における異常を検知する検知手段に接続され、前記検知手段によって前記警備領域における異常を検知したときに警報を監視センタに通報する警備装置であって、
前記警備状態を、異常を検知すると前記監視センタに通報する警備モードと、異常を検知しても警報を前記監視センタに通報しない警備解除モードとの間で切り替える切替手段と、
描画情報を表示し、表示された描画情報に対する指示操作を入力させる表示入力手段と、
前記表示入力手段に、暗証情報を指定入力させる入力指示情報、および前記切替手段による警備状態の切り替え動作の禁止指定を入力させる禁止指示情報を表示させる表示手段と、
前記表示入力手段に表示された前記入力指示情報から入力された前記暗証情報が正当であるか否かを判断する照合手段と、
前記照合手段による照合時点からの経過時間を計時する計時手段と、
入力された前記暗証情報が、前記照合手段によって正当であると判断された照合時点からの前記経過時間が、所定の第１のタイマ時間を越える場合、前記切替手段に対して前記警備状態を警備モードに切り替えさせ、前記第１のタイマ時間より短く前記照合時点から計時された第２のタイマ時間内に、前記禁止指示情報からの前記禁止指定の入力を受け付けた場合、前記切替手段に対して前記警備状態を警備モードに切り替えることを禁止させるよう制御する制御手段と、
を備えたことを特徴とする警報装置。
【請求項８】
前記制御手段は、前記第２のタイマ時間終了後前記第１のタイマ時間終了以前に、前記表示入力手段に表示された前記入力指示情報から入力された暗証情報が、前記照合手段によって正当と判断された場合、前記切替手段に対して前記警備状態を警備モードに切り替える動作を禁止させるよう制御することを特徴とする請求項７に記載の警備装置。
【請求項９】
前記表示制御手段は、前記表示入力手段が、最初の前記暗証情報入力以前の警備解除モードにおいては前記入力指示情報としてテンキーを表示させ、
前記第２のタイマ時間内においては、前記入力指示情報の表示に代えて、前記禁止指示情報を表示させ、
前記第２のタイマ時間終了後前記第１のタイマ時間終了までは、前記禁止指示情報の表示に代えて、前記入力指示情報を表示させるよう制御することを特徴とする請求項８に記載の警備装置。
【請求項１０】
前記表示制御手段は、前記表示入力手段に対して、前記第１のタイマ時間終了内において入力が受け付けられた場合、前記制御手段が前記切替手段に対して前記警備状態を警備解除モードから警備モードへ移行禁止する期間を、前記第１のタイマ時間の後さらに第３のタイマ時間だけ延長させる延長指示情報を、表示するよう制御することを特徴とする請求項８または９に記載の警備装置。
【請求項１１】
前記制御手段は、前記延長指示情報が前記第２のタイマ時間以降第１のタイマ時間終了までの時間に入力されて、さらに前記入力指示情報から暗証情報が入力され、入力された前記暗証情報が前記照合手段によって正当と判断された場合にのみ、前記切替手段に対して前記警備状態の警備モードへの移行を前記第３のタイマ時間だけ延長するよう制御することを特徴とする請求項１０に記載の警備装置。
【請求項１２】
前記表示制御手段は、前記表示入力手段に対して、最初に前記入力指示情報から前記暗証情報が入力された場合、前記表示入力手段には、前記禁止指示情報および延長指示情報のうちいずれか１つを選択させて入力を受け付ける選択指示情報が表示されるよう制御することを特徴とする請求項１０または１１に記載の警備装置。
【請求項１３】
前記表示制御手段は、前記表示入力手段に対して、最初の前記暗証情報の入力以前の期間、最初の前記暗証情報の入力後第２のタイマ時間内の期間、前記第２のタイマ時間終了後から前記第１のタイマ時間終了時までの期間、前記第１のタイマ時間終了時から第３のタイマ時間終了時までの期間、および前記第３のタイマ時間終了時以降の期間のうち、少なくとも１つの期間において、前記表示入力手段における表示色を、異なる色で表示するよう制御することを特徴とする請求項１０〜１２のうちいずれか１つに記載の警備装置。
【請求項１４】
前記表示制御手段は、前記表示入力手段に対して、前記第１のタイマ時間までの残り時間、前記第２のタイマ時間までの残り時間、および前記第３のタイマ時間までの残り時間から選択される１つ以上を表示する時間表示情報を表示させるよう制御することを特徴とする請求項１０〜１３のいずれか１つに記載の警備装置。
【請求項１５】
暗証情報の入力が正当であるか否かを照合する照合ステップと、
前記照合ステップによって照合された時点から計時開始するステップと、
所定の第１のタイマ時間経過後に、警備状態を警備解除モードから警備モードに切り替える設定を行う警備設定ステップと、
前記照合時点から計時されて、前記第１のタイマ時間よりも短い第２のタイマ時間以内に、所定の入力を検知した場合、警備状態を警備解除モードに切り替えることを禁止する第１の切替禁止ステップと、
前記第２のタイマ時間終了時後前記第１のタイマ時間終了以内の間に、前記暗証情報がさらに入力されて正当と判断された場合、前記警備状態を警備解除モードから警備モードへの切り替えを禁止する第２の切替禁止ステップと、
を含むことを特徴とする警備方法。
【請求項１６】
暗証情報を指定入力させ、かつ指示操作の指定を入力させる入力指示情報を表示する指示情報表示ステップと、
前記入力指示情報が入力させた前記暗証情報が正当であるか否かを照合する照合ステップと、
前記照合ステップによって照合された時点から計時開始する計時ステップと、
所定の第１のタイマ時間経過後に、警備状態を警備解除モードから警備モードに切り替える設定を行う警備設定ステップと、
前記照合時点から計時されて、前記第１のタイマ時間よりも短い第２のタイマ時間以内に、前記入力指示情報に所定の入力がなされた場合、警備状態を警備解除モードに切り替えることを禁止する第１の切替禁止ステップと、
前記第２のタイマ時間終了時後前記第１のタイマ時間終了以内の間に、前記暗証情報がさらに入力されて正当と判断された場合、前記警備状態を警備解除モードから警備モードへの切り替えを禁止する第２の切替禁止ステップと、
を含むことを特徴とする警備方法。
【発明の詳細な説明】
【０００１】
【発明の属する技術分野】
本発明は、警備装置および警備方法に関し、特に、警備領域において各種防犯センサが異常を検知したときに警報を監視センタに通報する警備モード、および異常を検知しても警報を監視センタに通報しない警備解除モードとの間で、警備状態を切り替え可能な警備装置および警備方法に関する。
【０００２】
【従来の技術】
図１２は、従来の警備装置を用いた警備システムの構成を示すブロック図である。従来の警備装置を用いた警備システムは、監視領域に設置されて各種防犯センサ１０が接続された警備装置７１と、警備装置７１と通信回線２を介して接続されて遠隔で監視する監視センタ３とから構成される。警備装置７１は、警備状態が警備モードである場合、例えば扉の開閉や人体が発する赤外線をセンサ１０が検知すると、警備装置７１は監視センタ３に通信回線２を介して警報を送信する。
【０００３】
警備装置７１は、切替部７１１、タイマ７１２、通報部７１３、制御部７１４、照合部７１５、記憶部７１６、エラーメッセージ出力部７１８、およびテンキー７２１を備える。切替部７１１は、制御部７１４からの信号により警備状態を警備モードと警備解除モードとの間で切り替える。タイマ７１２は、所定の時間を計測する。通報部７１３は、制御部７１４の信号により、警報を監視センタに送信する。テンキー７２１は、暗証番号の入力を受け付ける。制御部７１４は、切替部７１１，タイマ７１２，通報部７１３などを制御する。
【０００４】
警備モードとは、警備装置７１が警備を行っている状態のことであって、監視領域から正規の入室者が退出した後に、各種防犯センサ１０が異常を検知したときに、監視センタ３に警報を出力する状態である。一方、警備解除モードとは、警備装置７１が警備を解除している状態で、センサ１０が扉の開閉や人体の赤外線を検知しても、警報を監視センタ３に送出しない状態である。
【０００５】
警備状態を手動で切り替える場合、操作者は警備装置７１に設けられたテンキー７２１から暗証番号を入力する。入力された暗証番号は制御部７１４に送信されて、制御部７１４はさらに、照合部７１５に送信して、照合部７１５は記憶部７１６の記憶された正規の暗証番号と照合する。入力された暗証番号と一致して正当であると判定されれば、制御部７１４はタイマ７１２に計時を開始させ、所定時間後に制御部７１４は、切替部７１１を制御して警備モードと警備解除モードとを切り替えさせる。
【０００６】
この従来例では、暗証番号の入力後、所定時間経過後に、警備状態が自動的に警備モードに切り替わる。ここで所定時間としては、暗証番号を入力した操作者が、入力後に監視領域の外に出るのに必要な時間が想定されている。暗証番号を入力した操作者が監視領域に出るまでに、赤外線センサ１０が当該操作者を検知したり、当該操作者による扉の開閉を開閉センサ１０が検知したのを、侵入者であると判断して誤って警報を出力するのを防ぐためである。その後、警備モードにおいて各種防犯センサ１０が異常を検知すると、警備装置７１は、制御部７１４が通報部７１３に対して監視センタ３に通信回線２を介して警報を送出させるよう制御する。なお、警報装置７１は警備モードにおいて各種防犯センサ１０が異常を検知してもすぐには監視センタ３に警報を送出せず、所定時間後に送出するよう制御部７１４を制御する。所定時間とは、正規の入室者が監視領域の外からテンキー７２１に辿り着いて暗証番号入力操作を終了するのに十分な時間である。すなわち、正規の入室者が暗証番号を入力するまでの間に、当該入室者による扉の開閉を開閉センサ１０が検知したり、赤外線センサ１０が当該入室者を検知したのを、侵入者であると判断して誤って警報を出力するのを防ぐためである。そして、警報装置７１は、各種防犯センサ１０が異常を検知してから所定時間以内にテンキー７２１による暗証番号の入力がなかった場合、制御部７１４が通報部７１３に対して監視センタ３に通信回線２を介して警報を送出させるよう制御する。警備解除モードにおいては、各種センサ１０が異常を検知しても、監視センタ３に送信されないよう、制御部７１４は切替部７１１を制御する。切替部７１１は、例えば、リレー接点を開くことによって、検出された異常を監視センタ３に通報しないようにして警備解除モードとする。
【０００７】
ところで、上述した警備システムでは、警備解除モードから警備モードへの切り替え時に、正当な入館者が所定の時間以上警備領域にとどまったために、正当な入館者でないと判断される場合がある。例えば、暗証番号を入力した後に、忘れ物に気付いて取りに行った結果、所定時間を経過して警備モードが警備状態に切り替ってしまう場合である。この場合、正当な入館者であるにもかかわらず、警備装置１は侵入者と判定して警報を誤送信して、監視センタ３からの連絡により警備員が急行して無駄な人手を要するという問題があった。
【０００８】
例えば特許文献１の発明の警備システムでは、一定時間Ｔ１後に警備モードに切り替わる警備システムにおいて、リモートスイッチを操作することによって、Ｔ１時間内において警備モードのままであってもＴ１時間より短いＴ２時間において扉を開くことができ、警報動作を停止させて退出できる。しかし、この場合でも、Ｔ１時間内で警備状態に切り替わった状態で扉が開いたときに、警備領域内に忘れ物などを取りに戻った場合、戻った状態でＴ１時間が経過してしまうと、正規の入館者であっても侵入者であると判定されて誤った警報が送信される。そのため、同号公報の発明による警備システムにおいては、ちょっとした忘れ物を取りに戻るために、簡便な操作によって警備モードを解除したり警備モードへの移行を遅らせることができなかった。
【０００９】
【特許文献１】
特開昭６１−１６９９９６号公報
【００１０】
【発明が解決しようとする課題】
上記のような警報の誤送信を防ぐためには、一度、監視領域の外に出て警備モードが警備状態に切り替わるのを待って、改めて警備領域に入り、暗証番号を入力して警備モードを警備解除モードに切り替えれば、監視領域内に何かを取りに戻ったとしても、警報の誤送信を防ぐことができる。しかし、ちょっとした忘れ物を取りに戻るためにわざわざ監視領域から退出して、警備装置を警備モードに切り替えて、室内に取りに戻ってから再度テンキーで暗証番号を入力して警備解除モードにする操作は、非常に煩雑であるという問題点があった。
【００１１】
本発明は以上の問題に鑑みてなされ、その目的は、警備状態を警備モードに切り換える操作をしたあと、警備上の安全性を保ちながら簡易な操作によって警備モードを解除でき、あるいは警備モードへの移行を一時的に停止し、延長して正当な入館者が所定の時間滞在しても侵入者と判定しないようにして、警報が誤送信され無駄な警備員の急行を防ぐことができる警備装置および警備方法を提供することである。
【００１２】
【課題を解決するための手段】
上記目的を達成するため、請求項１にかかる発明は、監視対象の警備領域における異常を検知する検知手段に接続され、前記検知手段によって前記警備領域における異常を検知したときに警報を監視センタに通報する警備装置であって、前記警備状態を、異常を検知すると前記監視センタに通報する警備モードと、異常を検知しても警報を前記監視センタに通報しない警備解除モードとの間で切り替える切替手段と、暗証情報を入力させるとともに、前記切替手段による警備状態の切り替え動作の禁止指定を入力させる操作手段と、前記操作手段に入力された暗証情報が正当であるか否かを判断する照合手段と、前記照合手段による照合時点からの経過時間を計時する計時手段と、入力された前記暗証情報が、前記照合手段によって正当であると判断された照合時点からの前記経過時間が、所定の第１のタイマ時間を越える場合、前記切替手段に対して前記警備状態を警備モードに切り替えさせ、前記第１のタイマ時間より短く前記照合時点から計時された第２のタイマ時間内に、前記操作手段からの前記禁止指定の入力を受け付けた場合、前記切替手段に対して前記警備状態を警備モードに切り替えることを禁止させるよう制御する制御手段と、を備えたことを特徴とする警報装置である。
【００１３】
この請求項１の発明によれば、入力された暗証情報が照合されてから、第１のタイマ時間経過後に、警備が警備解除状態から警備状態に切り替わる警備装置であって、第１のタイマ時間よりも短い第２のタイマ時間内に、禁止指定の入力を受け付けた場合、警備を警備解除状態から警備状態へ切り替えることを禁止する。それ故、警備装置の警備状態への切り替えを簡易な操作によって禁止できるので、利便性と安全性の高い警備装置を提供できる。
【００１４】
また、請求項２にかかる発明は、請求項１に記載の警備装置において、前記制御手段は、前記第２のタイマ時間終了後前記第１のタイマ時間終了以前に、前記操作手段からさらに入力された暗証情報が前記照合手段によって正当と判断された場合、前記切替手段に対して前記警備状態を警備モードに切り替える動作を禁止させるよう制御することを特徴とする警備装置である。
【００１５】
この請求項２の発明によれば、請求項１に記載の作用に加えて、第２のタイマ時間終了から第１のタイマ時間の終了までの間に、再び暗証情報が入力されて照合されたならば、警備を警備解除状態から警備状態へ切り替わることを禁止できる。それ故、警備装置の警備状態を２段階の簡易な操作によって解除できるので、利便性と安全性の高い警備装置を提供できる。
【００１６】
また、請求項３にかかる発明は、請求項１または２に記載の警備装置において、前記操作手段は、テンキーを含むことを特徴とする警備装置である。
【００１７】
この請求項３の発明によれば、テンキーによる暗証情報を設定できるので、利便性と安全性が高い警備装置を提供できる。
【００１８】
また、請求項４にかかる発明は、請求項１〜３のいずれか１つに記載の警備装置において、前記操作手段は、単一のキーを含むことを特徴とする警備装置である。
【００１９】
この請求項４の発明によれば、警備状態に切り替えた直後において警備状態を解除するときは、単一のキーによる簡単な操作によって入力できるので、利便性と安全性が高い警備装置を提供できる。
【００２０】
また、請求項５にかかる発明は、請求項１〜４のいずれか１つに記載の警備装置において、前記制御手段が、前記第１のタイマ時間終了内において、前記操作手段から所定の延長入力を受け付けた場合、前記第１のタイマ時間終了後さらに第３のタイマ時間を延長した後に、前記警備状態を警備モードへ切り替えさせるよう制御することを特徴とする警備装置である。
【００２１】
この請求項５の発明によれば、第１のタイマ時間終了内に入力すればさらに第３のタイマ時間だけ延長できる。それ故、警備解除状態を延長して、その後警備状態に切り替わるので、監視領域にさらなる時間だけとどまりたいときには延長が可能になるので、利便性と安全性の高い警備装置を提供できる。
【００２２】
また、請求項６にかかる発明は、請求項５に記載の警備装置において、前記操作手段は、前記延長入力を行うテンキーを含むことを特徴とする警備装置である。
【００２３】
この請求項６の発明によれば、数字キーを含む操作手段であるので、暗証情報を設定でき、利便性と安全性の高い警備装置を提供できる。
【００２４】
また、請求項７にかかる発明は、監視対象の警備領域における異常を検知する検知手段に接続され、前記検知手段によって前記警備領域における異常を検知したときに警報を監視センタに通報する警備装置であって、前記警備状態を、異常を検知すると前記監視センタに通報する警備モードと、異常を検知しても警報を前記監視センタに通報しない警備解除モードとの間で切り替える切替手段と、描画情報を表示し、表示された描画情報に対する指示操作を入力させる表示入力手段と、前記表示入力手段に、暗証情報を指定入力させる入力指示情報、および前記切替手段による警備状態の切り替え動作の禁止指定を入力させる禁止指示情報を表示させる表示手段と、前記表示入力手段に表示された前記入力指示情報から入力された前記暗証情報が正当であるか否かを判断する照合手段と、前記照合手段による照合時点からの経過時間を計時する計時手段と、入力された前記暗証情報が、前記照合手段によって正当であると判断された照合時点からの前記経過時間が、所定の第１のタイマ時間を越える場合、前記切替手段に対して前記警備状態を警備モードに切り替えさせ、前記第１のタイマ時間より短く前記照合時点から計時された第２のタイマ時間内に、前記禁止指示情報からの前記禁止指定の入力を受け付けた場合、前記切替手段に対して前記警備状態を警備に切り替えることを禁止させるよう制御する制御手段と、を備えたことを特徴とする警報装置である。
【００２５】
この請求項７の発明によれば、表示入力手段に表示された入力指示情報から入力された暗証情報が照合されてから、第１のタイマ時間経過後に、警備が警備解除状態から警備状態に切り替わる警備装置であって、第１のタイマ時間よりも短い第２のタイマ時間内に、表示入力手段に表示された禁止指示情報からの入力を受け付けた場合、警備を警備解除状態から警備状態へ切り替えることを禁止する。それ故、警備装置の警備状態への移行を簡易な操作によって解除できるので、利便性と安全性の高い表示入力手段を備えた警備装置を提供できる。
【００２６】
また、請求項８にかかる発明は、請求項７に記載の警備装置において、前記制御手段は、前記第２のタイマ時間終了後前記第１のタイマ時間終了以前に、前記表示入力手段に表示された前記入力指示情報から入力された暗証情報が、前記照合手段によって正当と判断された場合、前記切替手段に対して前記警備状態を警備モードに切り替える動作を禁止させるよう制御することを特徴とする警備装置である。
【００２７】
この請求項８の発明によれば、請求項７に記載の作用に加えて、第２のタイマ時間終了から第１のタイマ時間の終了までの間に、再び暗証情報が表示入力手段に表示された入力指示情報から入力されて照合手段によって照合されたならば、警備を警備解除状態から警備状態へ切り替わることを禁止できる。それ故、警備装置の警備状態を２段階の簡易な操作によって解除できるので、利便性と安全性の高い表示入力手段を備えた警備装置を提供できる。
【００２８】
また、請求項９にかかる発明は、請求項８に記載の警備装置において、前記表示制御手段は、前記表示入力手段が、最初の前記暗証情報入力以前の警備解除モードにおいては前記入力指示情報としてテンキーを表示させ、前記第２のタイマ時間内においては、前記入力指示情報の表示に代えて、前記禁止指示情報を表示させ、前記第２のタイマ時間終了後前記第１のタイマ時間終了までは、前記禁止指示情報の表示に代えて、前記入力指示情報を表示させるよう制御することを特徴とする警備装置である。
【００２９】
この請求項９の発明によれば、表示入力手段は、警備解除状態においてはテンキーを、第２のタイマ時間内においてはテンキーの表示に代えて禁止キーを、第２のタイマ時間経過後第１のタイマ時間終了までは禁止キーの表示に代えて再びテンキーを、表示する。それ故、すぐに必要な指定を入力させることができる画面を表示するので、利便性と安全性の高い表示入力手段を備えた警備装置を提供できる。
【００３０】
また、請求項１０にかかる発明は、請求項８または９に記載の警備装置において、前記表示制御手段は、前記表示入力手段に対して、前記第１のタイマ時間終了内において入力が受け付られた場合、前記制御手段が前記切替手段に対して前記警備状態を警備解除モードから警備モードへ移行禁止する期間を、前記第１のタイマ時間の後さらに第３のタイマ時間だけ延長させる延長指示情報を、表示するよう制御することを特徴とする警備装置である。
【００３１】
この請求項１０の発明によれば、第１のタイマ時間終了内に、表示入力手段に表示された延長指示情報から入力されればさらに警備状態を警備モードへ移行する時間を第３のタイマ時間だけ延長できる。それ故、警備解除モードを延長して、その後警備モードに切り替わるので、監視領域にさらに所定の時間だけとどまりたいときには延長が可能になるので、利便性と安全性の高い表示入力手段を備える警備装置を提供できる。
【００３２】
また、請求項１１にかかる発明は、請求項１０に記載の警備装置において、前記制御手段は、前記延長指示情報が前記第２のタイマ時間以降第１のタイマ時間終了までの時間に入力されて、さらに前記入力指示情報から暗証情報が入力され、入力された前記暗証情報が前記照合手段によって正当と判断された場合にのみ、前記切替手段に対して前記警備状態の警備モードへの移行を前記第３のタイマ時間だけ延長するよう制御することを特徴とする警備装置である。
【００３３】
この請求項１１の発明によれば、第２のタイマ時間経過後第１のタイマ時間終了内に、表示入力手段に表示された入力指示情報からさらに入力された暗証情報が正当と照合された場合、警備状態を警備モードへ移行する時間が第３のタイマ時間だけ延長できる。それ故、警備解除モードを延長して、その後警備モードに切り替わるので、監視領域にさらに所定の時間だけとどまりたいときには延長が可能になるので、利便性と安全性の高い表示入力手段を備える警備装置を提供できる。
【００３４】
また、請求項１２にかかる発明によれば、請求項１０または１１に記載の警備装置において、前記表示制御手段は、前記表示入力手段に対して、最初に前記入力指示情報から前記暗証情報が入力された場合、前記表示入力手段には、前記禁止指示情報および延長指示情報のうちいずれか１つを選択させて入力を受け付ける選択指示情報が表示されるよう制御することを特徴とする警備装置である。
【００３５】
この請求項１２の発明によれば、最初に暗証情報が入力されて照合された場合、表示入力手段上の表示から、警備状態への移行を禁止するか延長するのかを簡易に視認し選択して入力できるので、利便性と安全性の高い表示入力手段を備えた警備装置を提供できる。
【００３６】
また、請求項１３にかかる発明は、請求項１０〜１２のうちいずれか１つに記載の警備装置において、前記表示制御手段は、前記表示入力手段に対して、最初の前記暗証情報の入力以前の期間、最初の前記暗証情報の入力後第２のタイマ時間内の期間、前記第２のタイマ時間終了後から前記第１のタイマ時間終了時までの期間、前記第１のタイマ時間終了時から第３のタイマ時間終了時までの期間、および前記第３のタイマ時間終了時以降の期間のうち、少なくとも１つの期間において、前記表示入力手段における表示色を、異なる色で表示するよう制御することを特徴とする警備装置である。
【００３７】
この請求項１３の発明によれば、最初に暗証情報が入力された場合、表示入力手段は、最初の暗証情報の入力後第２のタイマ時間内の期間、第２のタイマ時間終了後から第１のタイマ時間終了時までの期間、および第１のタイマ時間終了時から第３のタイマ時間終了時までの期間のうち少なくとも１つの期間において、表示手段の表示色を、最初の暗証情報の入力前と異なる色で表示する。それ故、表示手段に表示された色によって、警備状態の変化を認識することができるので、利便性と安全性の高い表示入力手段を備えた警備装置を提供できる。
【００３８】
また、請求項１４にかかる発明は、請求項１０〜１３のいずれか１つに記載の警備装置において、前記表示制御手段は、前記表示入力手段に対して、前記第１のタイマ時間までの残り時間、前記第２のタイマ時間までの残り時間、および前記第３のタイマ時間までの残り時間から選択される１つ以上を表示する時間表示情報を表示させるよう制御することを特徴とする警備装置である。
【００３９】
この請求項１４の発明によれば、表示入力手段は、第１のタイマ時間までの残り時間、第２のタイマ時間までの残り時間、および第３のタイマ時間までの残り時間から選択される１つ以上を表示する時間表示情報を表示する。それ故、警備状態が変化する時点までの残り時間を表示させることができるので、利便性と安全性の高い表示入力手段を備えた警備装置を提供できる。
【００４０】
また、請求項１５にかかる発明は、暗証情報の入力が正当であるか否かを照合する照合ステップと、前記照合ステップによって照合された時点から計時開始するステップと、所定の第１のタイマ時間経過後に、警備状態を警備解除モードから警備モードに切り替える設定を行う警備設定ステップと、前記照合時点から計時されて、前記第１のタイマ時間よりも短い第２のタイマ時間以内に、所定の入力を検知した場合、警備状態を警備解除モードに切り替えることを禁止する第１の切替禁止ステップと、前記第２のタイマ時間終了時後前記第１のタイマ時間終了以内の間に、前記暗証情報がさらに入力されて正当と判断された場合、前記警備状態を警備解除モードから警備モードへの切り替えを禁止する第２の切替禁止ステップと、を含むことを特徴とする警備方法である。
【００４１】
この請求項１５の発明によれば、暗証情報の入力が正当であるか否かを照合し、照合された時点から計時を開始し、所定の第１のタイマ時間経過後に、警備状態を警備解除モードから警備モードに切り替える設定を行って、第１のタイマ時間よりも短い第２のタイマ時間以内に所定の入力を検知した場合、警備状態を警備解除モードに切り替えることを禁止し、かつ第２のタイマ時間終了時後前記第１のタイマ時間終了以内の間に、暗証情報がさらに入力されて正当と判断された場合、警備状態を警備解除モードから警備モードへの切り替えを禁止する。それ故、警備状態を２段階の簡易な操作によって解除できるので、利便性と安全性の高い警備方法を提供できる。
【００４２】
また、請求項１６にかかる発明は、暗証情報を指定入力させ、かつ指示操作の指定を入力させる入力指示情報を表示する指示情報表示ステップと、前記入力指示情報が入力させた前記暗証情報が正当であるか否かを照合する照合ステップと、前記照合ステップによって照合された時点から計時開始する計時ステップと、所定の第１のタイマ時間経過後に、警備状態を警備解除モードから警備モードに切り替える設定を行う警備設定ステップと、前記照合時点から計時されて、前記第１のタイマ時間よりも短い第２のタイマ時間以内に、前記入力指示情報に所定の入力がなされた場合、警備状態を警備解除モードに切り替えることを禁止する第１の切替禁止ステップと、前記第２のタイマ時間終了時後前記第１のタイマ時間終了以内の間に、前記暗証情報がさらに入力されて正当と判断された場合、前記警備状態を警備解除モードから警備モードへの切り替えを禁止する第２の切替禁止ステップと、を含むことを特徴とする警備方法である。
【００４３】
この請求項１６の発明によれば、暗証情報を指定入力させ、かつ指示操作の指定を入力させる入力指示情報を表示し、入力指示情報が入力させた暗証情報が正当であると照合された時点から計時を開始し、所定の第１のタイマ時間経過後に、警備状態を警備解除モードから警備モードに切り替える設定を行って、第１のタイマ時間よりも短い第２のタイマ時間以内に入力指示情報から所定の入力を検知した場合、警備状態を警備解除モードに切り替えることを禁止し、かつ第２のタイマ時間終了時後前記第１のタイマ時間終了以内の間に、入力指示情報から入力された暗証情報が正当と判断された場合、警備状態を警備解除モードから警備モードへの切り替えを禁止する。それ故、警備状態を２段階の簡易な操作によって解除できるので、利便性と安全性の高い入力指示情報を表示した警備方法を提供できる。
【００４４】
【発明の実施の形態】
以下に添付図面を参照して、この発明にかかる警備装置および警備方法の好適な実施の形態１および２を詳細に説明する。
【００４５】
（実施の形態１）
図１は、実施の形態１による警備装置の構成を説明するブロック図である。警備装置１は、センサ１０、切替部１１、タイマ１２、通報部１３、制御部１４、照合部１５、記憶部１６、エラーメッセージ出力部１７、および操作部２０を備えて、公衆回線２を介して監視センタ３に接続されている。操作部２０はテンキー２１，禁止キー２２、および延長キー２３を備える。センサ１０は、人間の体温を赤外線で検出する赤外線センサ、および扉の開閉を検出する開閉センサを含む警備状態の異常を検出する各種センサである。
【００４６】
切替部１１は、警備装置１の警備状態を、警備モードおよび警備解除モードの間で切り替える。具体的には、例えば、リレー接点の開閉によって、センサ１０の信号を通報部１３に送出する制御を行う。それにより、警報状態を警備モードと警備解除モードとの間で切り替えることができる。タイマ１２は、所定の経過時間を計測する。通報部１３は、センサ１０によって検出された各種の異常を監視センタに通報する。
【００４７】
照合部１５は、テンキー２１から受け付けた入力信号が暗証番号と一致するか否かを照合する。記憶部１６にはあらかじめ正規の暗証番号が記憶されている。照合部１５は、記憶部１６にアクセスし、受け付けた入力信号を記憶された正規の暗証番号と照合して判定する。照合部１５が、一致したと判定したときは、照合信号を出力する。一致しなかったと判定した場合はエラー信号を出力する。エラーメッセージ出力部１７は、照合部１５によって出力されたエラー信号を受信して、エラーメッセージを出力する。
【００４８】
操作部２０の禁止キー２２は、警備モードへの移行を禁止する禁止指定のために押下されるものである。操作部２０の延長キー２３は、警備モードへの移行を一時的に延長する延長指定のために押下されるものである。ここで、本発明における第１のタイマ時間は１分であり、第２のタイマ時間は１０秒であるとして説明する。
【００４９】
照合信号を受信した制御部１４は、切替部１１に対して、切り替え停止設定や延長設定が成されない限り、１分後に警備状態を警備解除モードから警備モードに切り換えさせる。
【００５０】
ここで、暗証番号の入力から１０秒以内においては、禁止キー２２、例えば、テンキー２１の予め設定した任意の数字キー（例えば数字の１を示すキー）の押下によって生成された信号を、制御部１４が受信したときは、制御部１４は、上記の１分後に警備状態を警備モードに切り替える設定をキャンセルする。
【００５１】
ここで、警備解除モードは、切替部１１が通報部１３と通信回線２とのリレー接続の接点を開にして、センサ１０の検知した異常信号を監視センタ３に通報できないようにすることによって実現できる。また、警備モードは、切替部１１が通報部１３と通信回線２とのリレー接続の接点を閉にして、センサ１０が検知した異常信号を監視センタ３に通報できるようにすることによって実現できる。
【００５２】
また、１０秒以降１分以内においては、正当な暗証番号がテンキー２１から入力されたことを上記と同様に照合部１５が判定した場合、同様に、切替部１１が警備状態を警備モードに切り替える設定をキャンセルすることによって、警備モードへの移行を禁止することができる。
【００５３】
図２は、実施の形態１による警備装置の動作を説明するタイムチャートである。タイムチャート▲１▼〜▲４▼の開始はすべて、テンキー２１から受け付けられた暗証番号の入力信号が、照合部１５によって正当であると判定された時点である。
【００５４】
タイムチャート▲１▼は、暗証番号が正当と照合されてから、警備装置１の操作部２０から、入力信号が検出されなかった場合である。この場合、最後に部屋を出る操作者は、警備装置１のテンキー２１から暗証番号を入力して、それが正当と判定され、その後何事もなく部屋を退出した場合である。この場合、１分（Ｔ１時間）後に、警備モードに切り替わり警備状態が開始する。
【００５５】
タイムチャート▲２▼は、暗証番号が照合されてから１０秒（Ｔ２時間）以内に、操作者が禁止キー２２を押下した場合である。禁止キー２２による入力が制御部１４によって検出され、警備モードへの切り替えがキャンセルされて、１分経過した後も警備状態が開始しない。
【００５６】
タイムチャート▲３▼は、暗証番号が照合されてから、１０秒以降１分以内の間に禁止キー２２が押され、禁止キー２２からの入力のみが検知された場合である。この場合、警備モードへの移行はキャンセルされずに、１分後から警備モードに切り替わる。
【００５７】
タイムチャート▲４▼は、１０秒以降１分以内に暗証番号が入力されて、入力された暗証番号による信号を受信した照合部１５が、記憶部１６に記憶された正当な暗証番号と照合して正当であると判定した場合である。この場合は１分後に警備モードへ切り替わる設定はキャンセルされ、警備解除モードがそのまま持続する。
【００５８】
図３は、実施の形態１による警備装置が警備モードへの移行を停止する手順を示すフローチャートである。警備装置１は先ず、監視領域内に正当な入館者がいて、警備状態は警備解除モードが設定されている。そして、制御部１４は、操作部２０のテンキー２１からの入力を待ち受け状態にある（ステップＳ３０１）。操作者は、監視領域から最後に退出するときに、操作部２０のテンキー２１から暗証番号を入力する。テンキー２１を介して入力された暗証番号の信号は、制御部１４に送信され、制御部１４は、受信した入力信号を照合部１５に送信する。入力信号を受信した照合部１５は、記憶部１６にアクセスして、あらかじめ記憶された正規の暗証番号を読み出して、入力信号と比較する（ステップＳ３０２）。
【００５９】
照合部１５が、入力信号が正当な暗証番号であると判断すると（ステップＳ３０２のＹｅｓ）、正当であるとの照合信号を制御部１４に送信する。照合信号を受信した制御部１４は、タイマ１２に対して、経過時間の計測を開始させる（ステップＳ３０３）。照合部１５が正当でないと判断した場合（ステップＳ３０２のＮｏ）、照合部１５は、エラーメッセージをエラーメッセージ出力部１７に出力させて（ステップＳ３０４）、終わる。
【００６０】
次に制御部１４は、経過時間が１０秒（Ｔ２時間）内であるか否かを判定する（ステップＳ３０５）。１０秒以内の場合（ステップＳ３０５のＹｅｓ）、制御部１４は、操作部２０の禁止キー２２からの入力信号を待ち受ける（ステップＳ３０６）。そして、禁止キー２２からの入力を検出した場合（ステップＳ３０６のＹｅｓ）、制御部１４は、切替部１１に対して、通報部１３と通信回線２とのリレー接点をＴ１時間後も引き続き開になるように設定することによって、警備モードへの移行を停止する（ステップＳ３０７）。一方、Ｔ１時間内であって、禁止キー２２からの入力を検出しない場合は、待ち受け状態を持続する（ステップＳ３０６のＮｏ）。
【００６１】
そして、制御部１４が、タイマによる計測が１０秒を超えたと判定した場合（ステップＳ３０５のＮｏ）、禁止キー２２からの入力を待ち受けることをせず、経過時間が１分を越えたかどうかを判定する（ステップＳ３０８）。経過時間が１分以内と制御部１４が判断すれば（ステップＳ３０８のＹｅｓ）、制御部１４はテンキー２１からの入力を待ち受ける（ステップＳ３０９）。一方、制御部１４が、経過時間が１分を超えたと判定した場合（ステップＳ３０８のＮｏ）、制御部１４は、切替部１１に対して警備モードに切り替えさせる（ステップＳ３１０）。
【００６２】
制御部１４が、テンキー２１からの入力の待ち受け状態において、テンキー２１からの入力を検出すると（ステップＳ３０９のＹｅｓ）、入力信号を照合部１５に送信し、照合部１５は記憶部１６にあらかじめ記憶された正規の暗証番号と比較判定する（ステップＳ３１１）。照合部１５が、入力信号による暗証番号が正当であると判定した場合（ステップＳ３１１のＹｅｓ）、制御部１４は、切替部１１に対して通報部１３と通信回線２とのリレー接点を閉にしないように設定することによって、１分経過後も警備モードへの移行を禁止する（ステップＳ３０７）。
【００６３】
一方、制御部１４がテンキー２１からの入力を検出しない場合は（ステップＳ３０９のＮｏ）、そのまま１分間経過するまで待ち状態を持続し（ステップＳ３０８）、そのまま経過すれば、警備モードに切り替わる（ステップＳ３１０）。また、暗証番号が正当でないと判定された場合（ステップＳ３１１のＮｏ）、エラーメッセージ出力部１７に、暗証番号が正当でない旨のエラーメッセージを出力させて（ステップＳ３１２）、１分間経過するまでは暗証番号入力の待ち受け状態を持続する（ステップＳ３０８および３０９）。
【００６４】
このように、操作者が暗証番号を入力してそれが正当と判定されてから１０秒以内においては、禁止キー２２、例えば所定のテンキーの１つを押下するだけで警備モードへの切り替えをキャンセルできる。また、１０秒以降１分以内においては、正当な暗証番号を入力すれば、警備モードへの切り替えをキャンセルできる。
【００６５】
このような構成によって、例え侵入者が近くに隠れていて、操作者が退室する際に暗証番号を入力して警備モードへの移行設定を行い、その後、簡単な禁止キー２２による警備モード移行を停止し、その後また警備モードへの移行を設定してその場を離れたとしても、離れた後は一般には１０秒以上経過しているので、侵入者は簡単な禁止キー２２では警備モードへの移行を停止できず、暗証番号の入力が必要となる。それ故、正当な入室者にとっては簡易な操作によって警備の安全性を維持しながら警備状態をキャンセルできる警備装置を提供できるので、警報の誤送信を防ぐことができて、監視要員の急行などの無駄な人手を省くことができる。
【００６６】
ここで、１０秒以内において押下する禁止キー２２の操作数は、最初に警備モードへの移行を設定するための暗証番号による操作数以下であることが望ましい。警備モードへの移行を設定した直後には、簡易な操作で警備モードへの移行設定をキャンセルできるからである。
【００６７】
また、１０秒以後１分以内に再び入力する暗証番号は、最初に警備モードへの移行設定に用いる暗証番号と異なるものであっても良い。それにより、警備モードへの移行開始のための暗証番号と、移行停止のための暗証番号を異ならせることによって、より安全性を確保できるからである。
【００６８】
また、警備モードへの移行を停止するための暗証番号による操作数は、１０秒以内に入力する禁止キー２２による操作数以上であることが望ましい。警備モードへの移行設定直後の停止操作よりも、時間が経過したときの停止操作が複雑になることによって、より安全性が確保できるからである。
【００６９】
即ち、最初に暗証番号を入力して警備モードを設定した直後（１０秒以内）は、操作者がまだ警備装置１の近くにいるため、前述のような隠れていた侵入者が現れて禁止キーを押すという問題が発生しにくいため、数の少ないキーあるいは単純な例えば任意の数字キーの押下のみで警備状態への移行をキャンセルしても問題は少ない。そして、操作者が退室したあとに隠れていた侵入者が出てきて禁止キーを押下しても、警備モードへの移行停止のためには暗証番号の押下が必要となってしまっているので、安全性を確保できる。こうして、簡易な操作性と警備上の安全性を確保して警備モードへの移行を停止できる警備装置が提供できる。
【００７０】
ここで、禁止キーとしては、上記の例のようにテンキーから所定のキーを選択して構成する代わりに、別途所定の押釦を設けることが可能である。警備状態の切り替えを行う釦を別途用意することで、所定のテンキー番号を覚える必要がなくなるからである。また、別途、押釦が存在することで、押し間違いを避けることができる。また、別途設ける押釦は、複数個から選択するように構成しても良い。
【００７１】
（実施の形態１による警備装置の変形例）
ここで、操作部２０にさらに延長キー２３を設けて、警備状態への移行を延長できる延長モードを考えることができる。既述の実施の形態１においては、最初に暗証番号を入力して正当と判定された時点（すなわち図２のタイムチャートの開始時点）から１分経過後に、警備状態への移行が設定されるのであるが、本変形例においては、開始後１０秒以内に、延長キー２３が押下されれば、警備モードに切り替わるまでの時間をさらに所定の時間Ｔ３だけ、延長する構成とする。
【００７２】
また、１０秒以降１分以内においては、延長キー２３が押下されて、かつ、再び暗証番号が入力されて正当な暗証番号であると照合された場合も、警備モードへと移行する予定である１分（Ｔ１）経過の後に、所定の時間Ｔ３だけ警備モードへ移行することを停止して、警備モードへの移行を延長する延長モードとする。
【００７３】
これにより、警備モードを解除するほどではないが、少しの時間だけ監視領域にとどまりたい場合には、警備モードに切り替える時間を遅らせることによって、侵入者と判定されずにとどまることができる時間を延長することができる。そして、正規の入室者が遅れて退出することによって侵入者と判定されて、警報が監視センタ３に誤送信されて警備員が急行して無駄な人手がかかる事態を防ぐことができる。
【００７４】
図４は、実施の形態１による警備装置の変形例の動作を示すタイムチャートである。タイムチャート▲１▼〜▲３▼は、計時開始時刻は最初に入力された暗証番号が照合部１５によって正当な暗証番号であると判定された時点である。
【００７５】
タイムチャート▲１▼では、１０秒以内に延長キー２３が押下されず、かつ、１０秒以後１分以内において延長キー２３が押下されなかったか、あるいは延長キー２３が押下されたとしても引き続き正当な暗証番号が１分以内に押下されなかった場合である。この場合は、実施の形態１と同様に、１分経過後に、警備装置１は警備モードに切り替わる。
【００７６】
タイムチャート▲２▼においては、開始後１０秒以内に禁止キー２３が押下された場合である。この場合、所定の１分経過後にさらに所定のＴ３時間だけ警備モードへの切り替えが延長される。
【００７７】
タイムチャート▲３▼は、開始後１０秒以後１分以内に、延長キー２３および暗証番号が入力されて正当な暗証番号であると判定された場合である。この場合、所定の１分経過後にさらに所定のＴ３時間だけ警備モードへの切り替えが延長される。
【００７８】
図５は、実施の形態１による警備装置の変形例による手順を示すフローチャートである。操作者は、監視領域から最後に退出するときに、警備装置１のテンキー２１から暗証番号を入力する。制御部１４が、暗証番号の入力信号を照合部１５に照合させてタイマ１２によって計時開始させるところまでは、実施の形態１による警備装置の手順を示した図３（ステップＳ３０３）と同じであるので説明を省略して、それ以後について説明する。
【００７９】
制御部１４は、タイマ１２による経過時間を計測しながら、経過時間がＴ２時間である１０秒以内であるか否かを判定する（ステップＳ５０４）。経過時間が１０秒以内の場合は（ステップＳ５０４のＹｅｓ）、操作部２０の延長キー２３からの入力信号を待ち受ける（ステップＳ５０５）。そして、制御部１４が延長キー２３からの入力信号を検出した場合（ステップＳ５０５のＹｅｓ）、制御部１４は、切替部１１に対して、通報部１３と通信回線２とのリレー接点をＴ１時間経過後も引き続き開になるように設定することによって、警備モードへの移行を停止する（ステップＳ５０６）。さらに、制御部１４は、タイマ１２による経過時間の計時が、Ｔ１＋Ｔ３を経過したか否かを判定する（ステップＳ５０７）。経過していれば（ステップＳ５０７のＹｅｓ）、制御部１４は、切替部１１に対して、通報部１３と通信回線２とのリレー接点を閉にすることによって、警備モードへと切り替える（ステップＳ５０８）。
【００８０】
こうして、Ｔ２時間内に延長キー２３の入力を制御部１４が検出することによって、警備装置１が警備モードに移行する時間をＴ１時間に加えて、Ｔ３時間延長することができる。ここで、Ｔ１時間は１分、Ｔ３時間は２分とする。その場合、警備モードに移行するまでには、最初の１分に加え、さらに２分だけ延長される。
【００８１】
一方、延長キー２３からの入力を１０秒間、検出しない場合（ステップＳ５０４のＮｏ）、経過時間が１分内であるか否かを判定する（ステップＳ５０９）。経過時間が１分以内であれば、制御部１４は、延長キー２３からの入力の検出およびテンキー２１から両方の入力を待ち受ける（ステップＳ５１０）。ここで、制御部１４が、延長キー２３からの入力およびテンキー２１からの入力の少なくとも１つを検出せずに（ステップＳ５１０のＮｏ）１分以上経過した場合（ステップＳ５０９のＮｏ）、制御部１４は、切替部１１に対して、通報部１３と通信回線２とのリレー接点を閉にすることによって、警備モードへ移行させる（ステップＳ５０８）。
【００８２】
経過時間が１分以内に制御部１４が、延長キー２３からの入力信号およびテンキー２１からの入力信号の両方を検出した場合（ステップＳ５１０のＹｅｓ）、テンキーからの入力があらかじめ記憶部１６に記憶された正規の暗証番号と一致するか否かを、照合部１５に照合させる（ステップＳ５１１）。正規の暗証番号であると判定された場合（ステップＳ５１１のＹｅｓ）、制御部１４は、切替部１１に対して通報部１３と通信回線２とのリレー接点を閉にしないように設定する（ステップＳ５０６）。そして、計時時間の判定によりステップＳ５０８および５０９で説明したように、１分経過後、所定のＴ３時間だけ延長して（ステップＳ５０７）後、警備モードへ移行する（ステップＳ５０９）。
【００８３】
また、照合部１５が、テンキー２１からの入力による暗証番号が正当でないと判定した場合（ステップＳ５１１のＮｏ）、照合部１５は、暗証番号が正当でないとのエラーメッセージを出力部１７に出力させて（ステップＳ５１２）、さらに、延長キー２３およびテンキー２１からの入力の待ち受け状態を、１分経過するまで持続する（ステップＳ５０９およびＳ５１０）。
【００８４】
このように、操作者が暗証番号を入力してそれが正当と判定されてから１０秒以内においては、延長キー２３、例えば所定のテンキーの１つを押下するだけで警備モードへの切り替えを１分経過後も所定時間（２分間）だけ延長できる。また、１０秒以降、１分以内においては、延長キー２３およびテンキー２１から暗証番号を入力すれば同様に警備モードへの移行を延長することができる。
【００８５】
このような構成によって、操作者が暗証番号を入力して警備モードへの移行設定を行い、そのＴ１時間以内（この場合１０秒以内）に、延長キー２３を押下することによって警備モードへの移行を所定のＴ３時間だけ延長できる。そして、１０秒以後１分までの期間であれば、延長キー２３かつテンキー２１からの正当な暗証番号入力という、より複雑な操作によって、警備モードへの移行を延長できる。
【００８６】
このような構成によって、警備モードへの移行を解除するほどではなくても、少しの時間だけ移行を延長したい場合に、時間の経過とともに簡易な操作から、より複雑な操作を課すことによって、警備モードへの移行延長を設定することによって、例え、延長操作時に侵入者が隠れていたとしても、操作直後には侵入者は隠れているので暗証番号を盗むことができないため、正規の入室者にとっては簡易な操作により、そして侵入者にとっては複雑な操作が必要になるため、簡易な操作でありながら高い安全性を維持できる警備モードへの時間延長が可能な警備装置を提供できる。
【００８７】
ここで、１０秒以内において押下する延長キー２３の操作数は、最初に警備モードへの移行を設定するための暗証番号による操作数以下であることが望ましい。警備モードへの設定直後には、簡易な操作で警備モードへの延長ができるためである。
【００８８】
また、１０秒以後１分以内に再び入力する暗証番号は、最初に警備モードへの移行設定に用いる暗証番号と異なるものであっても良い。それにより、警備モードへの移行開始の暗証番号と、移行を延長するための暗証番号とを異ならせることによって、より安全性を確保できるからである。
【００８９】
また、警備モードへの移行を延長するための暗証番号による操作数は、１０秒以内に入力する延長キー２３による操作数以上であることが望ましい。警備モードへの移行設定直後の延長のための操作よりも、時間がたったときの延長のための操作を複雑にすることによって、より安全性を確保することができるからである。
【００９０】
すなわち、最初に暗証番号を入力して警備モードを設定した直後（１０秒以内）は、操作者がまだ警備装置１の近くにいるため、前述のような侵入者が現れてキーを押すという問題が発生しないため、数の少ないキーあるいは単純な、例えば任意の数字キーの押下のみで警備モードへの切り替えを延長しても問題は少ない。このように構成することによって、安全性を確保しつつ、簡便な操作性を確保した警備装置が提供できる。
【００９１】
ここで、延長キーとしては、上記の例のようにテンキーから所定のキーを選択して構成する代わりに、別途所定の押釦を設けることが可能である。警備状態の切り替えを行う釦を別途用意することで、所定のテンキー番号を覚える必要がなくなるからである。また、別途押釦が存在することで、押し間違いを避けることができる。また、別途設ける押釦は、複数個から選択するように構成しても良い。
【００９２】
このような構成によって、警備モードへの移行を解除しなければならない期間ほどは、監視領域に滞在しないが、しかし、例えば忘れ物を机の上から取って鞄に入れて帰るくらいの多少の時間延長して滞在した後に、警備モードに自動的に移行してほしいときなどは、延長キー２３が有効に利用できる。また、１０秒以降１分以内の時点では、安全のため延長キー２３と暗証番号とを併用する。ここで、１０秒以降１分以内においては、延長キー２３の押下と暗証番号の入力は、その順番を変えることができる。
【００９３】
（実施の形態２）
実施の形態２による警備装置は、表示手段として液晶タッチパネルを用い、テンキー、禁止キー、および延長キーを液晶タッチパネルに表示し、操作者がタッチすることによって入力する点が、実施の形態１による警備装置と異なる。また、各キーをタッチして入力したときに、警備状態への移行段階の表示をそれぞれ変化させながら、液晶タッチパネル上で表示することができる。
【００９４】
図６は、実施の形態２による警備装置を示すブロック図である。実施の形態１と同じ構成については説明を省略し、異なった構成について説明する。実施の形態２による警備装置６１は、実施の形態１による警備装置において備えていたテンキー４５、禁止キー４６、および延長キー２３の代わりに、表示制御部６１、液晶タッチパネル６３、およびタッチ検出部６２を備える。
【００９５】
ここで、表示制御部６１は、液晶タッチパネル６３に対して、実施の形態１による警備装置が備えていたテンキー４５、禁止キー４６、および延長キー２３に代わって、タッチ操作によって入力する液晶タッチパネル上に表示されるそれぞれのキーを表示するように制御する。
【００９６】
ここで制御部１４は、警備装置６１が動作を開始した時点、および切替部１１を制御して警備状態を切り替えた場合、その警備状態を記憶部１６に記憶させ、そして、必要なときに記憶部１６にアクセスして、警備状態を読み込んで警備装置６１の警備状態を読み出して判定するものである。制御部１４は、読み出した警備装置６１の警備モードを表す信号を、表示制御部６１に送信し、受信した表示制御部６１は、警備モードを表す信号により、警備状態の表示および、各種キーなど表示画面を液晶タッチパネル６３上に表示させる。液晶タッチパネル６３は、本発明の表示入力手段を構成する。
【００９７】
図７は、実施の形態２による警備装置の液晶タッチパネルの一例を示す図である。この例では、液晶タッチパネル６３には、テンキー４５、禁止キー４６、延長キー４７、残り時間カウンター４８、選択表示４９、および警備状態表示５０が表示される。警備状態表示５０には、警備モードであることを表す警備の表示５１、および警備解除モードであることを表す警備解除の表示５２が、表示される。図７においては、警備表示５１と警備解除表示５２とが並列して描かれているが、各モードの状態の時は該モードが反転されるなど強調されて表示されて、区別されることが望ましい。液晶タッチパネル６３上の各キーがタッチされると、タッチ検出部６２は、各キーのタッチを検出し、表示制御部６１に信号を送信する。
【００９８】
以下の実施の形態２においては、警備状態の変化に応じて液晶タッチパネル６３の表示が変化する構成として説明する。ここでも、本発明における第１のタイマ時間は１分とし、第２のタイマ時間は１０秒であるとして説明する。
【００９９】
警備装置６１が動作を開始すると、制御部１４は記憶部１６に対して警備装置６１の警備状態を問い合わせる。記憶部１６から得られた警備状態についての情報に基づき制御部１４は、表示制御部６１に対して、警備モードである場合は警備モード信号を、警備解除モードである場合は警備解除モード信号を送信する。表示制御部６１は警備モード信号を受信した場合、液晶タッチパネル６３に対して、警備モードの画面（後述）を表示させ、警備解除信号を受信した場合は、警備解除モードの画面（後述）を表示させる。
【０１００】
図８は、実施の形態２による警備装置の動作を示すフローチャートである。警備装置６１のある警備領域には、正規の入室者がいて、全員が退出して警備解除モードから警備モードに切り替えるところである。現在、制御部１４は、監視領域が警備解除モードであると判定して、表示制御部６１は警備解除モードの画面を、液晶タッチパネル６３上に表示させている。そして、制御部１４は液晶タッチパネル６３上のテンキー４５からの入力を待ち受け状態にある（ステップＳ８０１）。
【０１０１】
図９は、実施の形態２による警報装置のタッチパネルの他の例を示す図である。この例では、操作者の操作によって、タッチパネル上の表示が変化していく。図９の（ａ）は、通常の警備解除モードでの表示画面である。
【０１０２】
警備解除モードにある警備装置６１のテンキー４５から、タッチによって入力されると、入力信号をタッチ検出部６２が検出し、制御部１４に送信する。制御部１４がテンキー４５からの入力を検知すると（ステップＳ８０１のＹｅｓ）、入力信号を照合部１５に送信し、受信した照合部１５は記憶部１６にアクセスしてあらかじめ記憶された正当な暗証番号を読み出し、一致するかどうかを判定する（ステップＳ８０２）。暗証番号が一致した場合は、正当な暗証番号が入力されたとして、照合信号を制御部１４に送信する（ステップＳ８０２のＹｅｓ）。照合信号を受信した制御部１４は、タイマ１２に、経過時間の計時を開始させる（ステップＳ８０３）。
【０１０３】
照合部１５は、暗証番号が一致しないと判定したときは（ステップＳ８０２のＮｏ）、エラー信号をエラーメッセージ出力部１７に送信し、エラーメッセージ出力部１７は、「暗証番号が誤りです」というエラーメッセージを液晶タッチパネル６３に表示させる（ステップＳ８０４）。図９の（ｂ）に、暗証番号が一致しない場合のエラーメッセージの表示の例を示す。
【０１０４】
タイマによる計時開始と同時に、表示制御部６１は、液晶タッチパネル６３上に、選択表示４９を表示させる（図９の（ａ））。選択表示４９には、禁止キー４６および延長キー４７が並んで表示される。操作者は、この場合、禁止キー４６を選択しタッチにより入力する。選択表示４９から禁止モードが選択されると、表示制御部６１は、液晶タッチパネル６３上に、禁止キー４６からの入力を受け付ける画面（図９の（ｃ））に液晶タッチパネル６３の表示を変化させる（ステップＳ８０５）。図９の（ｃ）は、禁止キー入力を受け付ける状態の表示である。
【０１０５】
次に制御部１４は、タイマ１２により経過時間を判定し、１０秒以内であれば（ステップＳ８０６）、制御部１４は、禁止キー４６による入力を受け付ける（ステップＳ８０７）。制御部１４が、禁止キー４６による入力を検出した場合（ステップＳ８０７のＹｅｓ）、制御部１４は切替部１１に対して、警備装置１を警備モードへ移行させることを停止するように制御する（ステップＳ８０８）。警備モードへの移行停止は、実施の形態１による警備装置の場合と同じ構成とする。そして、制御部１４は、警備モードの切り替えたことを記憶部１６に記憶させ、さらに、表示制御部６１に対して警備モードの切替を送信し、表示制御部６１は警備モードの切替信号を受信して、液晶タッチパネル６３上の表示を警備解除モードの画面（図９の（ａ））へと切り替えさせる（ステップＳ８０９）。
【０１０６】
一方、制御部１４は、禁止キー４６による入力を検出しない場合（ステップＳ８０７のＮｏ）、さらに１０秒間経過するまで禁止キー４６の待ち受けを持続する（ステップＳ８０６）。そして、１０秒を経過した場合（ステップＳ８０６のＮｏ）、禁止キー４６からの入力受け付けを停止し、表示制御部６１は液晶タッチパネル６３の画面を、テンキー４５による入力を受け付ける画面（図９の（ｄ））に表示を変える（ステップＳ８１０）。図９の（ｄ）は、警備モード移行設定を行う途中でテンキーの入力を受け付ける画面である。
【０１０７】
制御部１４は経過時間が１分を超えるか否かを計時し（ステップＳ８１１）、１分を超えない場合（ステップＳ８１１のＹｅｓ）、テンキー４５からの入力を待ち受ける（ステップＳ８１２）。制御部１４が、テンキー４５からの入力を検出した場合（ステップＳ８１２のＹｅｓ）、照合部１５は暗証番号が正当であるか否かを判定し（ステップＳ８１３）、一致しないと判定した場合（ステップＳ８１３のＮｏ）は、エラーメッセージ出力部１７にエラーメッセージを液晶タッチパネル６３に出力させ（ステップＳ８１４）、１分間経過するまで暗証番号の入力を受け付ける（ステップＳ８１１）。図９の（ｅ）は、液晶タッチパネル６３上に表示された暗証番号のエラーメッセージの１例である。
【０１０８】
暗証番号が正当であると判定された場合（ステップＳ８１３のＹｅｓ）、既述のように警備モードの切り替えを停止させ（ステップＳ８０８）、表示制御部６１は警備解除モードの画面に変える（図９の（ａ））（ステップＳ８０９）。また、暗証番号の一致を検出せずに１分を過ぎた場合は（ステップＳ８１１のＮｏ）、通常通りに制御部１４は、切替部１１に対して警備状態を警備モードに切り替えさえ、警備モードの切り替えを記憶部１６に記憶させる（ステップＳ８１５）。そして、制御部１４は、表示制御部６１に警備モードの切り替え信号を送信し、受信した表示制御部６１は、画面を警備モード画面に変える（ステップＳ８１６）。図９の（ｆ）は、警備状態が警備モードであることを表示する液晶タッチパネルの表示例である。
【０１０９】
ここで、液晶タッチパネル６３のバックライトの色は、最初の暗証番号入力から１０秒までと、１０秒以降１分までの間とで、変化させることが望ましい。液晶タッチパネル６３の表示色を変化させることによって、どちらの操作を行えば警備状態の切り替えをキャンセルできるか色でもって容易に判別できるからである。例えば、１０秒までの間では、バックライトを緑色に変化させ、禁止キー４６の入力によって警備状態を解除できることを示し、１０秒以降１分までは、バックライトを赤色に変化させることによって、暗証番号を入力すべきことを示すことができる。
【０１１０】
こうして、最初に暗証番号を入力して警備モードを設定した直後（１０秒以内）は、操作者がまだ警備装置１の近くにいるため、隠れていた侵入者が現れてタッチパネルの禁止キーを押すという問題が発生しにくいため、数の少ないタッチパネル上のキー例えば任意の数字タッチキーのタッチのみで警備状態への移行をキャンセルしても問題は少ない。そして、操作者が退室したあとに隠れていた侵入者が出てきて禁止キーをタッチしても、警備モードへの移行停止のためには暗証番号の押下が必要となってしまっているので、安全性を確保できる。こうして、簡易な操作性と警備上の安全性を確保して警備モードへの移行を停止できる液晶パネルを備えた警備装置が提供できる。
【０１１１】
上記の説明では、最初の暗証番号入力から１０秒は液晶タッチパネルに禁止キー４６のみを表示し、１０秒以降１分までの間はテンキー４５のみを表示したことにより、警備状態の切り替えをキャンセルする操作に必要なキーのみの画像を表示するので、一目で必要な操作が分かるため、誤操作を防ぐことができる。
【０１１２】
また、液晶タッチパネル６３は、警備モードを解除できる時間までの残り時間をカウントダウン形式で表示する時間表示部４８を備えることが望ましい。例えば、暗証番号を入力した直後から、液晶タッチパネル６３に１０秒までのカウントダウン（１０、９、８…）が表示される（図９の（ｃ））。また、１０秒以降１分までは５０秒のカウントダウンが表示される（図９の（ｄ））。なお、暗証番号の入力直後から１分のカウントダウン（６０、５９、５８…）を行ってもよい。残り時間表示する表示部４８を設けることにより、操作者は時間内に行うべき必要な操作を把握することができる。それ故、設定された６０秒の時間を超過して警備装置が誤報を出す事態を発生しにくくさせることができる。
【０１１３】
ここで、所定のキーの押下または暗証番号の入力により警備状態の変更をキャンセルした際は、音声、文字、光等の表示により、その旨を出力するようにすることが望ましい。例えば、「キャンセルしました」という音声を出力したり、液晶タッチパネルにその旨を文字で表示したり、あるいはバックライトの色を変化させることによって、警備状態の変更キャンセルを知らせることができる（不図示）。
【０１１４】
（実施の形態３）
実施の形態３による警備装置は液晶タッチパネル上の表示において延長キーを設けて、延長キーからのタッチ入力により、警備状態が警備モードに移行する時間を一時延長させる。ここで、表示制御部６１は、液晶タッチパネル６３に、延長キー４７を表示させる（図７、および図９の（ａ））。実施の形態３の説明では延長キー４７のキー入力が検出された場合について詳細に説明し、それ以外の実施の形態２と同じ構成については説明を省略する。
【０１１５】
延長キー４７がタッチされた場合は、液晶タッチパネル６３上の各キーがタッチされてタッチ検出部６２によりタッチが検出され、表示制御部６１が液晶タッチパネル６３に表示する構成は記述の方式と同様である。ここで、本発明における第１のタイマ時間は１分とし、第２のタイマ時間は１０秒とし、さらに延長を行う第３のタイマ時間は２分であるとして説明する。
【０１１６】
図１０は実施の形態３による警備装置の動作を示すフローチャートである。警備装置６１が動作中の場合、制御部１４は記憶部１６に対して警備装置６１の警備状態を問い合わせて通常入館者のいる警備解除モードである。通常の警備解除モードの下で、正当な暗証番号が入力されて照合された場合、タイマによる計時が開始され、表示制御部６１は、液晶タッチパネル６３上に、選択表示４９を表示させる。液晶タッチパネル６３上に表示された選択表示４９には、禁止キー４６および延長キー４７が並んで表示される（図９の（ａ））。こうして、表示制御部６１が選択表示画面を表示する（図９の（ａ））（ステップＳ８０５）までは、実施の形態２と同じであるので、説明は省略し、それ以後について説明する。
【０１１７】
ここで最初に制御部１４は、記憶部１６から得られた警備状態についてのモード信号を表示制御部６１に送信、すなわち、警備解除モードである警備解除信号を送信して、液晶タッチパネル６３に警備解除モードの画面を表示させている。
【０１１８】
制御部１４は、タイマ１２に経過時間を計時させ、１０秒以内であるか否かを判定する（ステップＳ１００１）。１０秒以内であると判定した場合、制御部１４は、延長キー４７からの入力を待ち受け状態にある（ステップＳ１００２）。操作者は、この場合、延長キー４７を選択し、タッチにより入力する。
【０１１９】
制御部１４はタイマ１２により経過時間を判定し、１０秒以内に制御部１４が、禁止キー４６による入力を検出した場合（ステップＳ１００２のＹｅｓ）、制御部１４は切替部１１に対して、警備装置１を警備モードへ移行させることを停止するように制御する（ステップＳ１００３）。警備モードへの移行停止は、実施の形態１による警備装置の場合と同じである。そして、制御部１４は、警備モードを切り替えたことを記憶部１６に記憶させ、さらに、表示制御部６１に対して液晶タッチパネル６３上の表示を、警備延長モードの画面へと切り替えさせる（ステップＳ１００４）。図１１の（ａ）は、延長モードに切り替わったことを表示する延長モード表示画面である。延長モード表示画面においては、残り時間を表示することが望ましい。図１１の（ｂ）においては、延長後に警備モードに切り替わるまでの残り時間、この場合は１分４０秒３０が表示されている。
【０１２０】
一方、制御部１４は、延長キー４７による入力を検出せずに（ステップ１００２のＮｏ）、１０秒間経過した場合（ステップＳ１００１のＮｏ）、延長キー４７からの入力受付を停止する。そして、表示制御部６１は液晶タッチパネル６３の画面を、テンキー４５による入力を受け付ける画面（図９の（ｄ））に表示を変更する（ステップＳ１００８）。
【０１２１】
制御部１４は経過時間を計時して１分を超えないか否かを判定し（ステップＳ１００９）、１分を超えない場合（ステップＳ１００９のＹｅｓ）、テンキー４５からの入力の待ち受け状態となる（ステップＳ１０１０）。ここで、制御部１４が、テンキー４５からの入力を検出した場合（ステップＳ１０１０のＹｅｓ）、照合部１５は暗証番号が正当であるか否かを判定し（ステップＳ１０１１）、一致しないと判定した場合（ステップＳ１０１１のＮｏ）はエラーメッセージ出力部１７にエラーメッセージを液晶タッチパネル６３に出力させる（ステップＳ１０１２）。そして、制御部１４は、１分間経過するまで暗証番号の入力を受け付ける（ステップＳ１００９およびＳ１０１０）。図９の（ｅ）は、液晶タッチパネル６３上に表示された暗証番号のエラーメッセージの１例である。
【０１２２】
暗証番号が正当であると判定された場合（ステップＳ１０１１のＹｅｓ）、既述のように警備モードの切り替えを停止させ（ステップＳ１００３）、警備延長モードの画面に変える（ステップＳ１００４）。そして、制御部は、経過時間が１分＋２分（Ｔ１＋Ｔ３）時間経過したか否かを判定し（ステップＳ１００５）、経過するまでは、警備モードへの切り替えを停止する（ステップＳ１００５のＮｏ）。
【０１２３】
一方、制御部は、経過時間が１分＋２分（Ｔ１＋Ｔ３）時間経過したと判定した場合は（ステップＳ１００５のＹｅｓ）、切替部１１に対して警備モードへ切り替えるよう制御する（ステップＳ１００６）。そして、制御部１４は、警備状態を警備モードに切り替えたことを記憶部１６に記憶させ、表示制御部６１に対して、モード変更信号を送信する。表示制御部６１は、液晶タッチパネル６３の画面を警備モード画面表示に変化させる（ステップＳ１００７）。
【０１２４】
また、暗証番号の一致を検出せずに１分を過ぎた場合は（ステップＳ１００９のＮｏ）、通常通りに制御部１４は、切替部１１に対して警備状態を警備モードに切り替えさえる。（ステップＳ１００６）。そして、制御部１４は、警備モードの切り替えを記憶部１６に記憶させ、表示制御部６１に警備モードの切り替え信号を送信する。受信した表示制御部６１は、画面を警備モード画面に変える（ステップＳ１００７）。図９の（ｆ）は、警備状態が警備モードであることを表示する液晶タッチパネルの表示例である。
【０１２５】
液晶タッチパネル６３のバックライトの色を、最初の暗証番号入力から１０秒まで、１０秒以降１分まで、および１分以後延長された３分までの間、それぞれ変化させることが望ましい。液晶タッチパネル６３の表示色を変化させることによって、どちらの操作を行えば警備状態の切り替えをキャンセルできるか、あるいは警備状態がどのようなモードにあるかを色でもって容易に知らせることができるからである。例えば、１０秒までの間では、バックライトを緑色に変化させ、禁止キー４６の入力によって警備状態を解除できることを示し、１０秒以降１分までは、バックライトを赤色に変化させることによって、暗証番号を入力すべきことを示し、さらに延長時間内はオレンジ色にして注意を喚起することができる。
【０１２６】
こうして、操作者が液晶パネルを通して暗証番号を入力して警備モードへの移行設定を行い、そのＴ１時間以内（この場合１０秒以内）に、延長キー２３にタッチすることによって警備モードへの移行を所定のＴ３時間だけ延長できる。そして、１０秒以後１分までの期間であれば、延長キー２３かつテンキー２１からの正当な暗証番号入力という、より複雑な操作によって、警備モードへの移行を延長できる。
【０１２７】
即ち、警備モードへの移行を解除するほどではなくても、少しの時間だけ移行を延長したい場合に、時間の経過とともに簡易な操作から、より複雑な操作を課すことによって、警備モードへの移行延長を設定することによって、例え、延長操作時に侵入者が隠れていたとしても、操作直後には侵入者は隠れているので暗証番号を盗むことができないため、正規の入室者にとっては簡易な操作により、そして侵入者にとっては複雑な操作が必要になるため、簡易な操作でありながら高い安全性を維持できる警備モードへの時間延長が可能な液晶パネルを備えた警備装置を提供できる。
【０１２８】
上記の説明では、最初の暗証番号入力から１０秒は液晶タッチパネルに延長キー４７のみを表示し、１０秒以降１分までの間はテンキー４５のみを表示したことにより、警備状態の切り替えを延長する操作に必要なキーのみの画像を表示するので、一目で必要な操作が分かる。
【０１２９】
また、液晶タッチパネル６３は、警備モードを延長できる時間までの残り時間をカウントダウン形式で表示する時間表示部４８を備えることが望ましい。また、延長が設定された後は、延長時間終了までの残り時間を表示することが望ましい。残り時間表示する表示部４３を設けることにより、操作者は時間内に行うべき必要な操作、および延長時間終了までの時間を容易に知ることができ、設定された延長の時間を超過して警備装置が誤報を出す事態を発生しにくくさせることができる。
【０１３０】
ここで、所定のキーの押下または暗証番号の入力により警備状態の延長を設定した際は、音声、文字、光等の表示により、その旨を出力するようにすることが望ましい。例えば、「延長しました」という音声を出力したり、液晶タッチパネルにその旨を文字で表示したり、あるいはバックライトの色を変化させることによって、警備状態への移行延長を知らせることができる。
【０１３１】
【発明の効果】
以上説明したように、請求項１にかかる発明によれば、入力された暗証情報が照合されてから、第１のタイマ時間経過後に、警備が警備解除状態から警備状態に切り替わる警備装置であって、第１のタイマ時間よりも短い第２のタイマ時間内に、禁止指定の入力を受け付けた場合、警備を警備解除状態から警備状態へ切り替えることを禁止する。それ故、警備装置の警備状態を簡易な操作によって解除できるので、利便性と安全性の高い警備装置を提供できるという効果を奏する。
【０１３２】
また、請求項２にかかる発明によれば、警備装置の警備状態を２段階の簡易な操作によって解除できるので、利便性と安全性の高い警備装置を提供できるという効果を奏する。
【０１３３】
また、請求項３にかかる発明によれば、テンキーによる暗証番号を設定できるので、利便性と安全性が高い警備装置を提供できるという効果を奏する。
【０１３４】
また、請求項４にかかる発明によれば、警備状態に切り替えた直後において警備状態を解除するときは、単一のキーによる簡単な操作によって入力できるので、利便性と安全性が高い警備装置を提供できるという効果を奏する。
【０１３５】
また、請求項５にかかる発明によれば、第１のタイマ時間終了内に入力すればさらに第３のタイマ時間だけ延長できる。それ故、警備解除状態を延長して、その後警備状態に切り替わるので、監視領域にさらなる時間だけとどまりたいときには延長が可能になるので、利便性と安全性の高い警備装置を提供できるという効果を奏する。
【０１３６】
また、請求項６にかかる発明によれば、数字キーを含む操作手段であるので、暗証番号を設定でき、利便性と安全性の高い警備装置を提供できるという効果を奏する。
【０１３７】
また、請求項７にかかる発明によれば、警備装置の警備状態への移行を簡易な操作によって解除できるので、利便性と安全性の高い表示入力手段を備えた警備装置を提供できるという効果を奏する。
【０１３８】
また、請求項８にかかる発明によれば、警備装置の警備状態を２段階の簡易な操作によって解除できるので、利便性と安全性の高い表示入力手段を備えた警備装置を提供できるという効果を奏する。
【０１３９】
また、請求項９にかかる発明によれば、すぐに必要な指定を入力させることができる画面を表示するので、利便性と安全性の高い表示入力手段を備えた警備装置を提供できるという効果を奏する。
【０１４０】
また、請求項１０にかかる発明によれば、警備解除モードを延長して、その後警備モードに切り替わるので、監視領域にさらに所定の時間だけとどまりたいときには延長が可能になるので、利便性と安全性の高い表示入力手段を備える警備装置を提供できるという効果を奏する。
【０１４１】
また、請求項１１にかかる発明によれば、警備解除モードを延長して、その後警備モードに切り替わるので、監視領域にさらに所定の時間だけとどまりたいときには延長が可能になるので、利便性と安全性の高い表示入力手段を備える警備装置を提供できるという効果を奏する。
【０１４２】
また、請求項１２にかかる発明によれば、最初に暗証番号が入力されて照合された場合、表示入力手段上の表示から、警備状態への移行を禁止するか延長するのかを簡易に視認し選択して入力できるので、利便性と安全性の高い表示入力手段を備えた警備装置を提供できるという効果を奏する。
【０１４３】
また、請求項１３にかかる発明によれば、表示手段に表示された色によって、警備状態の変化を認識することができるので、利便性と安全性の高い表示入力手段を備えた警備装置を提供できるという効果を奏する。
【０１４４】
また、請求項１４にかかる発明によれば、表示手段に表示された色によって、警備状態の変化を認識することができるので、利便性と安全性の高い表示入力手段を備えた警備装置を提供できるという効果を奏する。
【０１４５】
また、請求項１５にかかる発明によれば、警備状態を２段階の簡易な操作によって解除できるので、利便性と安全性の高い警備方法を提供できるという効果を奏する。
【０１４６】
また、請求項１６にかかる発明によれば、警備状態を２段階の簡易な操作によって解除できるので、利便性と安全性の高い入力指示情報を表示した警備方法を提供できるという効果を奏する。
【図面の簡単な説明】
【図１】実施の形態１による警備装置の構成を説明するブロック図である。
【図２】実施の形態１による警備装置の動作を説明するタイムチャートである。
【図３】実施の形態１による警備装置が警備モードへの移行を停止する手順を示すフローチャートである。
【図４】実施の形態１による警備装置の変形例の動作を示すタイムチャートである。
【図５】実施の形態１による警備装置の変形例による手順を示すフローチャートである。
【図６】実施の形態２による警備装置を示すブロック図である。
【図７】実施の形態２による警備装置の液晶タッチパネルの一例を示す図である。
【図８】実施の形態２による警備装置の動作を示すフローチャートである。
【図９】実施の形態２による警報装置のタッチパネルの他の例を示す図である。
【図１０】実施の形態３による警備装置の動作を示すフローチャートである。
【図１１】延長モードに切り替わったことを表示する延長モード表示画面である。
【図１２】従来の警備装置を用いた警備システムの構成を示すブロック図である。
【符号の説明】
１、６１、７１  警備装置
２  通信回線
３  監視センタ
１０  センサ
１１、７１１  切替部
１２  タイマ
１３、７１３  通報部
１４、７１４  制御部
２１、７２１  テンキー
２２、４６  禁止キー
２３、４７  延長キー
４８  時間表示部
４９  選択キー
６１  表示制御部
６２  液晶タッチパネル
【図１】
2005032006.tif 000003
【図２】
2005032006.tif 000004
【図３】
2005032006.tif 000005
【図４】
2005032006.tif 000006
【図５】
2005032006.tif 000007
【図６】
2005032006.tif 000008
【図７】
2005032006.tif 000009
【図８】
2005032006.tif 000010
【図９】
2005032006.tif 000011
【図１０】
2005032006.tif 000012
【図１１】
2005032006.tif 000013
【図１２】
2005032006.tif 000014